(57)【要約】      （修正有）【課題】連続絵文字等について、実際の使われ方に基づいて辞書を生成する。【解決手段】取得されたコンテンツデータから、単独絵文字等辞書を参照して、連続絵文字等と、当該連続絵文字等が含まれる文章と、当該文章を含む記事とを抽出する連続絵文字等・文章・記事抽出手段と、抽出された記事から単語辞書を参照して記事特徴語を抽出する記事特徴語抽出手段と、取得されたコンテンツデータから、抽出された文章の連続絵文字等を除外した部分に一致する他の文章を抽出する連続絵文字等除外文章抽出手段と、抽出された他の文章から単語辞書を参照して文章特徴語を抽出する文章特徴語抽出手段と、抽出された記事特徴語と文章特徴語から類義語辞書を参照して類似するか否か判定する特徴語類似判定手段と、類似すると判定された場合に、抽出された連続絵文字等と文章特徴語とを対応付けて連続絵文字等辞書に登録する連続絵文字等データ登録手段とを備える。【選択図】図１
2010271870.tif 000002
【特許請求の範囲】
【請求項１】
解析対象となるコンテンツデータベースからコンテンツデータを取得するコンテンツ取得手段と、
取得されたコンテンツデータから、単独絵文字等辞書を参照して、連続絵文字等と、当該連続絵文字等が含まれる文章と、当該文章を含む記事とを抽出する連続絵文字等・文章・記事抽出手段と、
抽出された記事から単語辞書を参照して記事特徴語を抽出する記事特徴語抽出手段と、
取得されたコンテンツデータから、抽出された文章の連続絵文字等を除外した部分に一致する他の文章を抽出する連続絵文字等除外文章抽出手段と、
抽出された他の文章から単語辞書を参照して文章特徴語を抽出する文章特徴語抽出手段と、
抽出された記事特徴語と文章特徴語から類義語辞書を参照して類似するか否か判定する特徴語類似判定手段と、
類似すると判定された場合に、抽出された連続絵文字等と文章特徴語とを対応付けて連続絵文字等辞書に登録する連続絵文字等データ登録手段と
を備えたことを特徴とする連続絵文字等解析装置。
【請求項２】
請求項１に記載の連続絵文字等解析装置において、
前記連続絵文字等辞書を参照し、連続絵文字等の出現回数の記録に基づき、その出現回数の更新が一定期間行なわれない場合に、その連続絵文字等を削除する連続絵文字等データ削除手段
を備えたことを特徴とする連続絵文字等解析装置。
【請求項３】
解析対象となるコンテンツデータベースからコンテンツデータを取得するコンテンツ取得工程と、
取得されたコンテンツデータから、単独絵文字等辞書を参照して、連続絵文字等と、当該連続絵文字等が含まれる文章と、当該文章を含む記事とを抽出する連続絵文字等・文章・記事抽出工程と、
抽出された記事から単語辞書を参照して記事特徴語を抽出する記事特徴語抽出工程と、
取得されたコンテンツデータから、抽出された文章の連続絵文字等を除外した部分に一致する他の文章を抽出する連続絵文字等除外文章抽出工程と、
抽出された他の文章から単語辞書を参照して文章特徴語を抽出する文章特徴語抽出工程と、
抽出された記事特徴語と文章特徴語から類義語辞書を参照して類似するか否か判定する特徴語類似判定工程と、
類似すると判定された場合に、抽出された連続絵文字等と文章特徴語とを対応付けて連続絵文字等辞書に登録する連続絵文字等データ登録工程と
を備えたことを特徴とする連続絵文字等解析方法。
【発明の詳細な説明】
【技術分野】
【０００１】
本発明は、インターネット上のブログ（日記風のサイト）や掲示板等に用いられる絵文字を解析する技術に関する。
【背景技術】
【０００２】
イラスト文字による絵文字や、通常の文字を並べて人の顔を表現した顔文字等が、電子メールやブログ、掲示板等で多く用いられている。
【０００３】
携帯電話等に搭載された文字変換機能は、単独の絵文字や顔文字に対応しているものも多く、文章の入力の過程で絵文字や顔文字を容易に入力することができる。
【０００４】
特許文献１には、絵文字（顔文字）の種類を解析し、テキストデータの表示と同期して、絵文字に対応するアニメ画像や音声を再生する技術が開示されている。
【先行技術文献】
【特許文献】
【０００５】
【特許文献１】特開２００８−５４３４０号公報
【発明の概要】
【発明が解決しようとする課題】
【０００６】
上述したように、一つ一つの絵文字や顔文字については変換辞書の整備等が進んできている。しかし、最近では更に複数の絵文字や顔文字を連続させることで特定の意味（単語）を表現することが行われてきている。ここでは、このような複数の絵文字等を連続させたものを「連続絵文字等」と呼ぶこととする。なお、単独の絵文字や顔文字を「絵文字等」と呼ぶこととする。
【０００７】
このような連続絵文字等については、変換辞書の整備は行われておらず、ユーザは一文字ずつ入力しなければならないため、入力が煩雑であるという問題があった。また、サーバ側でコンテンツの解析を行う場合、連続絵文字等の意味するところが解釈できないため、有効なコンテンツの解析が行えないものであった。
【０００８】
本発明は上記の従来の問題点に鑑み提案されたものであり、その目的とするところは、連続絵文字等について、実際の使われ方に基づいて辞書を生成することのできる連続絵文字等解析装置を提供することにある。
【課題を解決するための手段】
【０００９】
上記の課題を解決するため、本発明にあっては、請求項１に記載されるように、解析対象となるコンテンツデータベースからコンテンツデータを取得するコンテンツ取得手段と、取得されたコンテンツデータから、単独絵文字等辞書を参照して、連続絵文字等と、当該連続絵文字等が含まれる文章と、当該文章を含む記事とを抽出する連続絵文字等・文章・記事抽出手段と、抽出された記事から単語辞書を参照して記事特徴語を抽出する記事特徴語抽出手段と、取得されたコンテンツデータから、抽出された文章の連続絵文字等を除外した部分に一致する他の文章を抽出する連続絵文字等除外文章抽出手段と、抽出された他の文章から単語辞書を参照して文章特徴語を抽出する文章特徴語抽出手段と、抽出された記事特徴語と文章特徴語から類義語辞書を参照して類似するか否か判定する特徴語類似判定手段と、類似すると判定された場合に、抽出された連続絵文字等と文章特徴語とを対応付けて連続絵文字等辞書に登録する連続絵文字等データ登録手段とを備える連続絵文字等解析装置を要旨としている。
【００１０】
また、請求項２に記載されるように、請求項１に記載の連続絵文字等解析装置において、前記連続絵文字等辞書を参照し、連続絵文字等の出現回数の記録に基づき、その出現回数の更新が一定期間行なわれない場合に、その連続絵文字等を削除する連続絵文字等データ削除手段を備えるようにすることができる。
【００１１】
また、請求項３に記載されるように、解析対象となるコンテンツデータベースからコンテンツデータを取得するコンテンツ取得工程と、取得されたコンテンツデータから、単独絵文字等辞書を参照して、連続絵文字等と、当該連続絵文字等が含まれる文章と、当該文章を含む記事とを抽出する連続絵文字等・文章・記事抽出工程と、抽出された記事から単語辞書を参照して記事特徴語を抽出する記事特徴語抽出工程と、取得されたコンテンツデータから、抽出された文章の連続絵文字等を除外した部分に一致する他の文章を抽出する連続絵文字等除外文章抽出工程と、抽出された他の文章から単語辞書を参照して文章特徴語を抽出する文章特徴語抽出工程と、抽出された記事特徴語と文章特徴語から類義語辞書を参照して類似するか否か判定する特徴語類似判定工程と、類似すると判定された場合に、抽出された連続絵文字等と文章特徴語とを対応付けて連続絵文字等辞書に登録する連続絵文字等データ登録工程とを備える連続絵文字等解析方法として構成することができる。
【発明の効果】
【００１２】
本発明の連続絵文字等解析装置にあっては、連続絵文字等について、実際の使われ方に基づいて辞書を生成することができ、連続絵文字等の入力や解析に用いることができる。
【図面の簡単な説明】
【００１３】
【図１】本発明の一実施形態にかかるシステムの構成例を示す図である。
【図２】コンテンツデータベースのデータ構造例を示す図である。
【図３】単独絵文字等辞書のデータ構造例を示す図である。
【図４】単語辞書のデータ構造例を示す図である。
【図５】類義語辞書のデータ構造例を示す図である。
【図６】抽出作業用データベースのデータ構造例を示す図である。
【図７】連続絵文字等辞書のデータ構造例を示す図である。
【図８】絵文字等解析サーバのハードウェア構成例を示す図である。
【図９】実施形態の処理例を示すシーケンス図（その１）である。
【図１０】実施形態の処理例を示すシーケンス図（その２）である。
【図１１】連続絵文字等含有文章・記事抽出および記事特徴語抽出の例を示す図である。
【図１２】絵文字等除外文章抽出および文章特徴語抽出の例を示す図である。
【発明を実施するための形態】
【００１４】
以下、本発明の好適な実施形態につき説明する。
【００１５】
＜構成＞
図１は本発明の一実施形態にかかるシステムの構成例を示す図である。
【００１６】
図１において、インターネット等のネットワーク１には、ユーザが操作するＰＣ（Personal Computer）、携帯電話、ＰＤＡ（Personal Digital Assistants）等のユーザ端末２が複数接続されている。ユーザ端末２は、一般的なブラウザ（Ｗｅｂブラウザ）２１を備えている。ブラウザ２１は、インターネットの標準プロトコルであるＨＴＴＰ（Hyper Text Transfer Protocol）等に従い、ＨＴＭＬ（Hyper Text Markup Language）等の言語で記述されたページデータの要求・取得・表示およびフォームデータの送信等を行う機能を有している。
【００１７】
一方、ネットワーク１には、ユーザの操作するユーザ端末２のブラウザ２１からのアクセスに対してブログ／掲示板の閲覧・記事掲載の管理を行うブログ／掲示板サーバ３が接続されている。ブログ／掲示板サーバ３には、コンテンツデータベース３０１が設けられている。このデータベースは、データベースを保持するコンピュータ内のＨＤＤ（Hard Disk Drive）等の記憶媒体上に所定のデータを体系的に保持するものである。
【００１８】
また、ネットワーク１には、ブログ／掲示板サーバ３の記事内容を解析する絵文字等解析サーバ４が接続されている。
【００１９】
絵文字等解析サーバ４は、機能部として、ブログ／掲示板コンテンツ取得部４１と連続絵文字等・文章・記事抽出部４２と記事特徴語抽出・地域判定部４３と連続絵文字等除外文章抽出部４４と文章特徴語抽出部４５と特徴語類似判定部４６と連続絵文字等データ登録部４７と連続絵文字等データ削除部４８とを備えている。これらの機能部は、絵文字等解析サーバ４を構成するコンピュータのＣＰＵ（Central Processing Unit）、ＲＯＭ（Read Only Memory）、ＲＡＭ（Random Access Memory）等のハードウェア資源上で実行されるコンピュータプログラムによって実現されるものである。これらの機能部は、単一のコンピュータ上に配置される必要はなく、必要に応じて分散される形態であってもよい。
【００２０】
また、絵文字等解析サーバ４が参照・更新する辞書もしくはデータベースとして、単独絵文字等辞書４０１と単語辞書４０２と類義語辞書４０３と抽出作業用データベース４０４と連続絵文字等辞書４０５とが設けられている。これらの辞書等は、辞書等を保持するコンピュータ内のＨＤＤ等の記憶媒体上に所定のデータを体系的に保持するものである。
【００２１】
図２はブログ／掲示板サーバ３のコンテンツデータベース３０１のデータ構造例を示す図である。コンテンツデータベース３０１は、「登録日時」「登録者ユーザＩＤ」「登録者ＩＰアドレス」「記事内容」等の項目を有している。「登録日時」は、記事が登録（掲載）された日時である。「登録者ユーザＩＤ」は、記事の登録を行ったユーザのユーザＩＤである。「登録者ＩＰアドレス」は、記事の登録を行ったユーザの登録時の送信元のＩＰアドレスである。「記事内容」は、記事の内容のデータであり、テキスト、画像、音声等を含む。
【００２２】
図３は絵文字等解析サーバ４の単独絵文字等辞書４０１のデータ構造例を示す図である。単独絵文字等辞書４０１は、「絵文字等」「コード」「単語」等の項目を有している。「絵文字等」は、１文字の絵文字あるいは一つの意味を表す顔文字である。「コード」は、絵文字等を識別する情報である。「単語」は、絵文字等に対応する単語である。
【００２３】
図４は単語辞書４０２のデータ構造例を示す図であり、「単語」「品詞」等の項目を有している。「単語」は、見出しとなる単語である。「品詞」は、その単語の品詞である。
【００２４】
図５は類義語辞書４０３のデータ構造例を示す図であり、「単語」「類義語」等の項目を有している。「単語」は、見出しとなる単語である。「類義語」は、その単語に類似する他の単語（複数可）である。
【００２５】
図６は抽出作業用データベース４０４のデータ構造例を示す図であり、「連続絵文字等」「単語」「出現回数（更新日時）」「地域」等の項目を有している。「連続絵文字等」は、複数の連続する絵文字あるいは顔文字である。「単語」は、連続絵文字等に対応する単語である。「出現回数（更新日時）」は、解析により出現した回数および最後の更新日時である。「地域」は、連続絵文字等が出現した記事を書き込んだユーザの所在する地域である。
【００２６】
図７は連続絵文字等辞書４０５のデータ構造例を示す図であり、「連続絵文字等」「単語」「出現回数（更新日時）」「地域」等の項目を有している。項目は図６の抽出作業用データベース４０４と同様である。
【００２７】
図１に戻り、絵文字等解析サーバ４のブログ／掲示板コンテンツ取得部４１は、絵文字等解析処理時に、ブログ／掲示板サーバ３のコンテンツデータベース３０１からコンテンツデータを取得する機能を有している。
【００２８】
連続絵文字等・文章・記事抽出部４２は、コンテンツデータベース３０１により取得されたコンテンツデータから、単独絵文字等辞書４０１を参照して、連続絵文字等と、その連続絵文字等が含まれる文章と、その文章を含む記事とを抽出する機能を有している。
【００２９】
記事特徴語抽出・地域判定部４３は、連続絵文字等・文章・記事抽出部４２により抽出された記事から、単語辞書４０２を参照して、特徴語を抽出する機能を有している。また、記事特徴語抽出・地域判定部４３は、記事に含まれるテキスト、登録者ＩＰアドレス、登録者ユーザＩＤ等に基づいて登録者の所在する地域を判定する機能も有している。
【００３０】
連続絵文字等除外文章抽出部４４は、連続絵文字等・文章・記事抽出部４２により抽出された文章から連続絵文字等を除外した部分をベースに、コンテンツデータベース３０１により取得されたコンテンツデータから、一致する文章を抽出する機能を有している。
【００３１】
文章特徴語抽出部４５は、連続絵文字等除外文章抽出部４４により抽出された文章から、単語辞書４０２を参照して、特徴語を抽出する機能を有している。
【００３２】
特徴語類似判定部４６は、記事特徴語抽出・地域判定部４３により抽出された特徴語（記事特徴語）と文章特徴語抽出部４５により抽出された特徴語（文章特徴語）とを、類義語辞書４０３を参照して、類似するか否か判定する機能を有している。また、特徴語類似判定部４６は、類似すると判定した場合、連続絵文字等を抽出作業用データベース４０４に仮登録し、出現回数が所定値を超えた場合に本登録を連続絵文字等データ登録部４７に指示する機能も有している。
【００３３】
連続絵文字等データ登録部４７は、特徴語類似判定部４６から本登録の指示を受けた場合に、連続絵文字等辞書４０５に連続絵文字等を登録する機能を有している。
【００３４】
連続絵文字等データ削除部４８は、適当なタイミングで抽出作業用データベース４０４および連続絵文字等辞書４０５を参照し、廃れたと判断される連続絵文字等を削除する機能を有している。
【００３５】
図８は絵文字等解析サーバ４のハードウェア構成例を示す図である。
【００３６】
図８において、絵文字等解析サーバ４は、システムバス４００１に接続されたＣＰＵ４００２、ＲＯＭ４００３、ＲＡＭ４００４、ＮＶＲＡＭ（Non-Volatile Random Access Memory）４００５、Ｉ／Ｆ（Interface）４００６と、Ｉ／Ｆ４００６に接続された、キーボード、マウス、モニタ、ＣＤ／ＤＶＤ（Compact Disk/Digital Versatile Disk）ドライブ等のＩ／Ｏ（Input/Output Device）４００７、ＨＤＤ４００８、ＮＩＣ（Network Interface Card）４００９等を備えている。Ｍはプログラムもしくはデータが格納されたＣＤ／ＤＶＤ等のメディア（記録媒体）である。
【００３７】
＜動作＞
図９および図１０は上記の実施形態の処理例を示すシーケンス図である。
【００３８】
図９において、ユーザ端末２のユーザがブログもしくは掲示板に投稿を行なう場合、ユーザ端末２のブラウザ２１からブログ／掲示板サーバ３にアクセスして投稿ページ要求を行なう（ステップＳ１０１）。ページ要求は、インターネットの標準プロトコルであるＨＴＴＰに従ったＧＥＴメソッドとリクエストＵＲＩ（Uniform Resource Indicator）等を含むメッセージがユーザ端末２のブラウザ２１からブログ／掲示板サーバ３に送信されることで行なわれる。
【００３９】
これを受け、ブログ／掲示板サーバ３は、内部に保持あるいは動的に生成した投稿ページのページデータをユーザ端末２のブラウザ２１に返送する（ステップＳ１０２）。ページデータはＨＴＭＬ等により記述されており、ＨＴＴＰのレスポンス等に従ってブログ／掲示板サーバ３からユーザ端末２のブラウザ２１に送信される。
【００４０】
ユーザ端末２のブラウザ２１は投稿ページを表示し（ステップＳ１０３）、ユーザは投稿内容の入力を行なう（ステップＳ１０４）。
【００４１】
投稿ページへの入力が完了すると、ユーザ端末２のブラウザ２１からブログ／掲示板サーバ３に投稿内容が送信される（ステップＳ１０５）。入力内容はＨＴＴＰのＰＯＳＴメソッドあるいはＰＵＴメソッド等に付加されたＨＴＭＬ等のデータあるいはＧＥＴメソッド等に付加されたパラメータとしてユーザ端末２のブラウザ２１からブログ／掲示板サーバ３に送信される。
【００４２】
投稿内容を受信したブログ／掲示板サーバ３は、コンテンツデータベース３０１（図２）に、登録日時、登録者ユーザＩＤ、登録者ＩＰアドレス等と関連付けて記事内容（投稿内容）を登録する（ステップＳ１０６）。
【００４３】
その後、適当なタイミングにおいて、絵文字等解析サーバ４は動作を開始し、ブログ／掲示板コンテンツ取得部４１は、ブログ／掲示板サーバ３のコンテンツデータベース３０１からコンテンツデータを取得する（ステップＳ１１１）。取得するコンテンツデータは、古いものは参考とならないため、登録日時を考慮して、所定の鮮度が保てる期間のものに限定することができる。取得したコンテンツデータは、内部に一時的に保持し、連続絵文字等・文章・記事抽出部４２および連続絵文字等除外文章抽出部４４が利用できる状態とする（ステップＳ１１２、Ｓ１１３）。
【００４４】
次いで、連続絵文字等・文章・記事抽出部４２は、コンテンツデータベース３０１により取得されたコンテンツデータから、単独絵文字等辞書４０１を参照して、連続絵文字等と、その連続絵文字等が含まれる文章と、その文章を含む記事とを抽出する（ステップＳ１１４）。すなわち、単独絵文字等辞書４０１に登録された絵文字等をキーにしてコンテンツデータ全体に対して検索を行い、あるいは、コンテンツデータをスキャンして単独絵文字等辞書４０１に登録された絵文字等が出現するか否かを判断し、出現した連続絵文字等と、連続絵文字等が含まれる文章と、その文章を含む記事とを抽出する。なお、前回の解析時に抽出した連続絵文字等は、コンテンツデータの登録日時を考慮して、重複して抽出しないようにすることができる。図１１は連続絵文字等Ｌ１を含む文章Ｓ１と、この文章Ｓ１を含む記事Ａ１が抽出された状態を示している。
【００４５】
図９に戻り、連続絵文字等・文章・記事抽出部４２は、抽出した連続絵文字等（コード）と文章と記事とを、記事特徴語抽出・地域判定部４３に引き渡す（ステップＳ１１５）。
【００４６】
次いで、記事特徴語抽出・地域判定部４３は、連続絵文字等・文章・記事抽出部４２により抽出された記事から、単語辞書４０２を参照して、特徴語（記事特徴語）を抽出する（ステップＳ１１６）。特徴語の抽出は、例えば、記事に含まれる文字列と単語辞書４０２に登録された単語とを、最長一致法等により一致の比較判断を行い、一致した頻度の高い単語を特徴語として決定する。図１１に示した記事Ａ１の場合、例えば、「１年生」を特徴語Ｃ１として抽出する。
【００４７】
図９に戻り、記事特徴語抽出・地域判定部４３は、記事に含まれるテキスト、登録者ＩＰアドレス、登録者ユーザＩＤ等に基づいて登録者の所在する地域を判定する（ステップＳ１１７）。すなわち、記事に含まれるテキストに地名を示す単語が含まれている場合にはそれを地域とする。予め、ＩＰアドレス範囲と地域とを対応付けたテーブル（図示せず）のＩＰアドレス範囲に登録者ＩＰアドレスが含まれる場合は対応する地域を取得する。登録者ユーザＩＤからユーザＤＢ（図示せず）を参照し、プロフィールから住所が取得できる場合は、その住所を地域とする。
【００４８】
次いで、記事特徴語抽出・地域判定部４３は、連続絵文字等・文章・記事抽出部４２から渡された連続絵文字等と文章と、自ら抽出した記事特徴語と判定した地域とを、連続絵文字等除外文章抽出部４４に引き渡す（ステップＳ１１８）。
【００４９】
次いで、連続絵文字等除外文章抽出部４４は、連続絵文字等・文章・記事抽出部４２により抽出された文章から連続絵文字等を除外した部分をベースに、コンテンツデータベース３０１により取得されたコンテンツデータから、一致する文章を抽出する（ステップＳ１１９）。すなわち、連続絵文字等・文章・記事抽出部４２により抽出された文章の文字列から連続絵文字等を除外した文字列を生成し、当該文字列をキーにしてコンテンツデータ全体に対して検索を行い、あるいは、コンテンツデータをスキャンして当該文字列が出現するか否かを判断し、当該文字列が含まれる文章を抽出する。図１１の文章Ｓ１からは連続絵文字等Ｌ１を除くことで「おめでとう。」の文字列が生成される。図１２は、この文字列「おめでとう。」に基づいてコンテンツデータから文章Ｓ２、Ｓ３が抽出された状態を示している。
【００５０】
図９に戻り、連続絵文字等除外文章抽出部４４は、記事特徴語抽出・地域判定部４３から渡された連続絵文字等と記事特徴語と地域と、自ら抽出した文章とを、文章特徴語抽出部４５に引き渡す（ステップＳ１２０）。
【００５１】
次いで、図１０において、文章特徴語抽出部４５は、連続絵文字等除外文章抽出部４４により抽出された文章から、単語辞書４０２を参照して、特徴語（文章特徴語）を抽出する（ステップＳ１２１）。特徴語の抽出は、例えば、文章に含まれる文字列と単語辞書４０２に登録された単語とを、最長一致法等により一致の比較判断を行い、一致した頻度の高い単語を特徴語として決定する。図１２に示した文章Ｓ２の場合、この文章Ｓ２に含まれる文字列「入学式」を特徴語Ｃ２として抽出する。文章Ｓ３の場合、この文章Ｓ３に含まれる「誕生日」を特徴語Ｃ３として抽出する。
【００５２】
図１０に戻り、文章特徴語抽出部４５は、連続絵文字等除外文章抽出部４４から渡された連続絵文字等と記事特徴語と地域と、自ら抽出した文章特徴語とを、特徴語類似判定部４６に引き渡す（ステップＳ１２２）。
【００５３】
次いで、特徴語類似判定部４６は、記事特徴語抽出・地域判定部４３により抽出された記事特徴語と文章特徴語抽出部４５により抽出された文章特徴語とを、類義語辞書４０３を参照して、類似するか否か判定する（ステップＳ１２３）。すなわち、一方の特徴語をキーにして類義語辞書４０３を参照し、他方の特徴語が類義語として登録されているか否かにより類似するか否か判定する。図１１で抽出された特徴語Ｃ１「１年生」と、図１２で抽出された特徴語Ｃ２「入学式」と特徴語Ｃ３「誕生日」との間では、「１年生」と「入学式」が類似するものとしている。
【００５４】
図１０に戻り、特徴語類似判定部４６は、類似と判定した場合、類似と判定した組み合わせにつき、連続絵文字等を抽出作業用データベース４０４に仮登録する（ステップＳ１２４）。すなわち、その文章特徴語を単語とし、抽出作業用データベース４０４に既に同じ連続絵文字等と単語と地域のレコードがある場合は、出現回数を１加算する。レコードがない場合は連続絵文字等と単語と地域のレコードを作成し、出願回数を１とする。
【００５５】
次いで、特徴語類似判定部４６は、出現回数が所定値を超えるか否か判断し（ステップＳ１２５）、出現回数が所定値を超えた場合には、連続絵文字等と単語と出現回数と地域を連続絵文字等データ登録部４７に引き渡し、本登録を指示する（ステップＳ１２６）。
【００５６】
これを受け、連続絵文字等データ登録部４７は、連続絵文字等辞書４０５に連続絵文字等と単語と出現回数と地域を登録する（ステップＳ１２７）。既に、出現回数以外の連続絵文字等と単語と地域が同じレコードが存在する場合には、出現回数のみを更新する。
【００５７】
一方、その後の適当なタイミングにおいて、連続絵文字等データ削除部４８は、抽出作業用データベース４０４および連続絵文字等辞書４０５を参照し（ステップＳ１３１）、廃れたと判断される削除対象の連続絵文字等を判定する（ステップＳ１３２）。すなわち、更新日時が所定期間以上経過していることで出現回数が所定期間にわたって増加がなく、他に同じ連続絵文字等のレコードが存在するものを削除対象とする。この場合、同じ連続絵文字等のレコードとは、地域も含めて同じという意味である。地域が異なれば、違う意味で使われる連続絵文字等が併存するのは普通であるからである。
【００５８】
そして、連続絵文字等データ登録部４７は、該当するレコードを抽出作業用データベース４０４および連続絵文字等辞書４０５から削除する（ステップＳ１３３）。
【００５９】
＜総括＞
以上説明したように、本実施形態によれば、ブログ／掲示板サーバ３における連続絵文字等の実際の使われ方に基づいて連続絵文字等辞書４０５を最新の状態に保つことができ、連続絵文字等の入力や解析に有効に用いることができる。
【００６０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００６１】
１          ネットワーク
２          ユーザ端末
２１        ブラウザ
３          ブログ／掲示板サーバ
３０１      コンテンツデータベース
４          絵文字等解析サーバ
４１        ブログ／掲示板コンテンツ取得部
４２        連続絵文字等・文章・記事抽出部
４３        記事特徴語抽出・地域判定部
４４        連続絵文字等除外文章抽出部
４５        文章特徴語抽出部
４６        特徴語類似判定部
４７        連続絵文字等データ登録部
４８        連続絵文字等データ削除部
４０１      単独絵文字等辞書
４０２      単語辞書
４０３      類義語辞書
４０４      抽出作業用データベース
４０５      連続絵文字等辞書
【図１】
2010271870.tif 000003
【図２】
2010271870.tif 000004
【図３】
2010271870.tif 000005
【図４】
2010271870.tif 000006
【図５】
2010271870.tif 000007
【図６】
2010271870.tif 000008
【図７】
2010271870.tif 000009
【図８】
2010271870.tif 000010
【図９】
2010271870.tif 000011
【図１０】
2010271870.tif 000012
【図１１】
2010271870.tif 000013
【図１２】
2010271870.tif 000014